(57)【要約】      （修正有）【課題】一対の配管抱持部材に配管を抱持固定する作業を極めて簡易に効率良く行うことができる作業性に秀れた画期的な配管支持金具を提供する。【解決手段】一対の配管抱持部材１の各重合端部１ｂ同志を所定の重合位置に位置決め係止する位置決め重合機構３を重合端部１ｂに設け、この位置決め重合機構３を位置決め係止状態とした際には一対の配管抱持部材１の各重合端部１ｂの互いに対向する位置に形成されたボルト挿通孔同志が丁度連通する位置に重合配設されるように構成した配管支持金具。【選択図】図１
0003113195.tif 000002
【実用新案登録請求の範囲】
【請求項１】
配管に被嵌する抱持部の両端側に重合端部を設けた一対の配管抱持部材から成り、この配管抱持部材の重合端部に夫々ボルト挿通孔を設け、この一対の配管抱持部材の両端側の各重合端部同志を夫々重合配設して前記抱持部で配管を抱持すると共に、この各重合端部に形成されたボルト挿通孔を夫々連通配設し、このボルト挿通孔に締付ボルトを連通しナットを螺着固定することで、前記配管を一対の配管抱持部材の対向する一対の抱持部間に抱持固定するように構成した配管支持金具であって、前記一対の配管抱持部材の各重合端部同志を所定の重合位置に位置決め係止する位置決め重合機構を前記重合端部に設け、この位置決め重合機構を位置決め係止状態とした際には前記一対の配管抱持部材の各重合端部の互いに対向する位置に形成されたボルト挿通孔同志が丁度連通する位置に重合配設されるように構成したことを特徴とする配管支持金具。
【請求項２】
前記位置決め重合機構は、重合配設される一組の重合端部のうちの一方の重合端部に係止部を設け、この係止部が係止する係合部を他方の重合端部に設けた構成としたことを特徴とする請求項１記載の配管支持金具。
【請求項３】
前記係止部は、前記一対の配管抱持部材の重合端部に押圧突出形成した突部とし、前記係合部は、この突部が係合する係合孔若しくは係合凹部としたことを特徴とする請求項２記載の配管支持金具。
【請求項４】
前記係止部は、前記一対の配管抱持部材の重合端部に切り出し突出形成した突部とし、前記係合部は、前記突部が係合する係合孔としたことを特徴とする請求項３記載の配管指示金具。
【請求項５】
前記一対の配管抱持部材を、対設立設された一対の支持杆体間に架設保持し、この一対の配管抱持部材を所定位置に支持固定し得る支持部を備えた構成とし、前記一対の配管抱持部材の各重合端部同志を重合配設した際、この重合した一対の配管抱持部材の両端側に前記支持部の支持杆体が挿通可能な杆挿通部が形成されるようにこの一対の配管抱持部材の各重合端部の形状を設定したことを特徴とする請求項１〜４のいずれか１項に記載の配管支持金具。
【考案の詳細な説明】
【技術分野】
【０００１】
本考案は、水道管や排水管などの配管を支持固定する配管支持金具に関するものである。
【背景技術】
【０００２】
一対の配管抱持部材により水道管や排水管などの配管を被嵌抱持しこの一対の配管抱持部材の両端部同志を締付ボルトとナットにより締め付けることで配管を抱持固定して使用する配管支持金具が、従来から種々提案されている。
【０００３】
この種の配管支持金具は、例えば、抱持部の両端側に重合端部を設けた一対の配管抱持部材を配管に被嵌し、この一対の配管抱持部材の両端側の各重合端部同志を夫々重合配設する。更に、この各重合端部に形成されたボルト挿通孔を夫々連通配設し、このボルト挿通孔に締付ボルトを連通しナットを螺着固定することで、前記配管を一対の配管抱持部材の対向する一対の抱持部間に抱持固定するように構成したものである。
【０００４】
従って、この種の配管支持金具は、一対の配管抱持部材により配管を抱持固定する際に、この一対の配管抱持部材の各重合端部同志を重合配設するだけでなくこの各重合端部に夫々形成されたボルト挿通孔が、丁度連通配設されるようにこの重合端部同志の重合位置を正確に位置合わせしてから、前記締付ボルトを連通させナットで締めるという非常に面倒な作業を要するものである。
【考案の開示】
【考案が解決しようとする課題】
【０００５】
本考案は、上記の問題点に着眼し、この種の配管支持金具において一対の配管抱持部材を配管に抱持固定する際に上述のようにボルト挿通孔が丁度連通するように重合位置を位置合わせする厄介な作業が作業効率を損ねる原因となっていることを見出し、これを解決するべく鋭意研究開発を重ねた結果完成したものであって、一対の配管抱持部材の両端部同志の重合位置を位置決め係止する位置決め重合機構を設け、この位置決め重合機構が係止状態となった際、対向するボルト挿通孔同志が丁度連通する位置となるように構成することで、一対の配管抱持部材に配管を抱持固定する作業を極めて簡易に効率良く行えるように構成した従来にない画期的な配管支持金具を提供するものである。
【０００６】
また、このように秀れた作業性を有する位置決め機構の構成を簡易構成にして安価に達成することで一層実用性に秀れた配管支持金具を提供するものである。
【課題を解決するための手段】
【０００７】
添付図面を参照して本考案の要旨を説明する。
【０００８】
配管ａに被嵌する抱持部１ａの両端側に重合端部１ｂを設けた一対の配管抱持部材１から成り、この配管抱持部材１の重合端部１ｂに夫々ボルト挿通孔２を設け、この一対の配管抱持部材１の両端側の各重合端部１ｂ同志を夫々重合配設して前記抱持部１ａで配管ａを抱持すると共に、この各重合端部１ｂに形成されたボルト挿通孔２を夫々連通配設し、このボルト挿通孔２に締付ボルト６を連通しナット６ａを螺着固定することで、前記配管ａを一対の配管抱持部材１の対向する一対の抱持部１ａ間に抱持固定するように構成した配管支持金具であって、前記一対の配管抱持部材１の各重合端部１ｂ同志を所定の重合位置に位置決め係止する位置決め重合機構３を前記重合端部１ｂに設け、この位置決め重合機構３を位置決め係止状態とした際には前記一対の配管抱持部材１の各重合端部１ｂの互いに対向する位置に形成されたボルト挿通孔２同志が丁度連通する位置に重合配設されるように構成したことを特徴とする配管支持金具に係るものである。
【０００９】
また、前記位置決め重合機構３は、重合配設される一組の重合端部１ｂのうちの一方の重合端部１ｂに係止部４を設け、この係止部４が係止する係合部５を他方の重合端部１ｂに設けた構成としたことを特徴とする請求項１記載の配管支持金具に係るものである。
【００１０】
また、前記係止部４は、前記一対の配管抱持部材１の重合端部１ｂに押圧突出形成した突部４とし、前記係合部５は、この突部４が係合する係合孔５若しくは係合凹部５としたことを特徴とする請求項２記載の配管支持金具に係るものである。
【００１１】
また、前記係止部４は、前記一対の配管抱持部材１の重合端部１ｂに切り出し突出形成した突部４とし、前記係合部５は、前記突部４が係合する係合孔５としたことを特徴とする請求項３記載の配管指示金具に係るものである。
【００１２】
また、前記一対の配管抱持部材１を、対設立設された一対の支持杆体８間に架設保持し、この一対の配管抱持部材１を所定位置に支持固定し得る支持部９を備えた構成とし、前記一対の配管抱持部材１の各重合端部１ｂ同志を重合配設した際、この重合した一対の配管抱持部材１の両端側に前記支持部９の支持杆体８が挿通可能な杆挿通部７が形成されるようにこの一対の配管抱持部材１の各重合端部１ｂの形状を設定したことを特徴とする請求項１〜４のいずれか１項に記載の配管支持金具に係るものである。
【考案の効果】
【００１３】
本考案は上述のように構成したから、一対の配管抱持部材の対向する抱持部間に配管を抱持固定する場合、この一対の配管抱持部材の各重合端部同志を重合配設する際に、各重合端部に形成されたボルト挿通孔を丁度連通する位置に正確に位置合わせする厄介な作業を手作業で効率悪く行う必要がなく、単に各重合端部を重合配設する際に位置決め重合機構を位置決め状態とするだけで必然的にボルト挿通孔同志を丁度連通する位置に合わせることができる。
【００１４】
よって、このボルト挿通孔に締付ボルトを連通しナットで締め、作業性良く効率的に配管を一対の配管抱持部材に抱持固定する作業を達成でき、従来品に比べ作業性に秀れる。
【００１５】
また、本考案の位置決め重合機構は、単に重合配設される一方の重合端部に係止部を設け他方の重合端部にこの係止部を係合する係合部を設ける構成の為、構成が複雑となったり生産性が損なわれる心配もなくあくまで従来品と同等の生産コストで容易に生産可能な簡易構成にして量産性に秀れコストアップになることもないなど、実用性に秀れる。
【００１６】
よって、本考案は、一対の配管抱持部材によって配管ａを抱持固定する際の、非常に厄介であったボルト挿通孔の位置合わせ作業を極めて簡単に行うことができ、作業性良く効率的に配管を一対の配管抱持部材の対向する抱持部間に抱持固定することができると共に、簡易構成であるが故に量産性に秀れコストアップとなることもないなど、画期的で極めて実用性に秀れた配管支持金具となる。
【考案を実施するための最良の形態】
【００１７】
好適と考える本考案の実施形態（考案をどのように実施するか）を、図面に基づいて本考案の作用を示して簡単に説明する。
【００１８】
配管ａに被嵌する抱持部１ａの両端側に重合端部１ｂを設けた構成の一対の配管抱持部材１の各抱持部１ａを配管ａに被嵌して、この一対の配管抱持部材１の両端側の各重合端部１ｂ同志を重合配設する。この際、位置決め重合機構３が位置決め係止状態となるようにこの一対の配管抱持部材１の各重合端部１ｂ同志を重合配設させる。これにより、一対の配管抱持部材１の各重合端部１ｂ同志が、所定の重合位置に位置決め係止されることとなる。即ち、前記一対の配管抱持部材１の各重合端部１ｂの互いに対向する位置に形成されたボルト挿通孔２同志が、丁度連通する位置に重合配設されることとなる。
【００１９】
つまり、一対の配管抱持部材１の各重合端部１ｂ同志を重合配設する際に前記位置決め重合機構３を位置決め状態とすることにより、各重合端部１ｂに形成されたボルト挿通孔２同志が丁度連通した状態に保持されることとなるから、これら各ボルト挿通孔２に締付ボルト６を挿通しナット６ａを螺着する作業を簡易に達成でき、よって、一対の配管抱持部材１の対向する抱持部１ａ間に配管ａを抱持固定する作業を簡易に行えることとなる。
【００２０】
従って、このように本考案品の一対の配管抱持部材１の対向する抱持部１ａ間に配管ａを抱持固定する場合は、この一対の配管抱持部材１の各重合端部１ｂ同志を重合配設する際に、各重合端部１ｂに形成されたボルト挿通孔２を丁度連通する位置に正確に位置合わせする非常に厄介な作業を手作業で効率悪く行う必要がなく、単に各重合端部１ｂを重合配設する際に位置決め重合機構３を位置決め状態とするだけで必然的にボルト挿通孔２同志を丁度連通する位置に合わせることができ、よって、このボルト挿通孔２に締付ボルト６を連通しナット６ａで締め、作業性良く効率的に配管ａを一対の配管抱持部材１に抱持固定する作業を達成でき、作業効率性に極めて秀れることとなる。
【００２１】
また、この位置決め機構３は複雑な構成は必要なく、例えば、重合配設される一組の重合端部１ｂのうちの一方の重合端部１ｂに係止部４（例えば重合端部１ｂに押圧突出形成した突部４など）を設け、この係止部４が係止する係合部５（例えば重合端部１ｂに形成した係合孔５や係合凹部５など）を他方の重合端部１ｂに設けるなどの簡易な構成で達成し得る為、コストアップや量産性を損ねるなどの問題が生じてしまうことが無く、生産性に秀れる。また、このように位置決め重合機構３を例えば重合端部１ｂに形成した係止部４を重合端部１ｂに形成した係合部５に係合させる構成とし、単に重合端部１ｂ同志を重合させつつ係止部４と係合部５とを係合させるだけの簡易作業で重合端部１ｂ同志の位置決めを達成し得る構成にも簡易に設計し得、この点においても利便性に秀れる。
【００２２】
従って、本考案は、一対の配管抱持部材１によって配管ａを抱持固定する際の、非常に厄介であったボルト挿通孔２の位置合わせ作業を極めて簡単に行うことができ、作業性良く効率的に配管ａを一対の配管抱持部材１の対向する抱持部１ａ間に抱持固定することができると共に、簡易構成であるが故に量産性に秀れコストアップとなることもないなどの秀れた配管支持金具となる。
【００２３】
また、例えば、前記一対の配管抱持部材１を、対設立設された一対の支持杆体８間に架設保持し、この一対の配管抱持部材１を所定位置に支持固定し得る支持部９を備えた構成とし、前記一対の配管抱持部材１の各重合端部１ｂ同志を重合配設した際、この重合した一対の配管抱持部材１の両端側に前記支持部９の支持杆体８が挿通可能な杆挿通部７が形成されるようにこの一対の配管抱持部材１の各重合端部１ｂの形状を設定した場合には、配管ａを抱持固定するこの一対の配管抱持部材１を支持杆体８間に良好に架設保持でき、前記支持部９を例えば設置固定するなどしてこの一対の配管抱持部材１に抱持固定した配管ａを所定位置に良好に支持固定でき、一層実用価値が高くなる。
【実施例】
【００２４】
本考案の具体的な実施例１について図面に基づいて説明する。
【００２５】
本考案は、図１に図示したように、抱持部１ａの両端側に重合端部１ｂを設けた一対の配管抱持部材１を配管ａに被嵌し、この一対の配管抱持部材１の両端側の各重合端部１ｂ同志を夫々重合配設すると共に、この各重合端部１ｂに形成されたボルト挿通孔２を夫々連通配設し、このボルト挿通孔２に締付ボルト６を連通しナット６ａを螺着固定することで、前記配管ａを一対の配管抱持部材１の対向する一対の抱持部１ａ間に抱持固定するように構成した配管支持金具であって、前記一対の配管抱持部材１の各重合端部１ｂ同志を所定の重合位置に位置決め係止する位置決め重合機構３を備え、この位置決め重合機構３を位置決め係止状態とした際には前記一対の配管抱持部材１の各重合端部１ｂの互いに対向する位置に形成されたボルト挿通孔２同志が丁度連通する位置に重合配設されるように構成したものである。
【００２６】
一対の配管抱持部材１は、図２及び図４に図示したように、金属製の帯状板体の中央部を半円状に折曲した形状で、この帯状板体の中央部（半円状の部位）を抱持部１ａとし、この抱持部１ａの両端側の平板状の部位を重合端部１ｂとする。
【００２７】
また、図２及び図４に図示したように、各配管抱持部材１の半円状の抱持部１ａには夫々、緩衝材10を被覆状態に配設し、前記一対の配管抱持部材１の対向する抱持部１ａ間に配管ａを抱持固定した際、この配管ａに各抱持部１ａの内面側に被覆状態に配設した前記緩衝材10が押圧当接するように構成している。
【００２８】
この一対の配管抱持部材１の各両端部に設けた各重合端部１ｂは、図４に図示したように抱持部１ａから突出状態に設けた平板状の構成であり、この重合端部１ｂの中央基端寄り位置に前記ボルト挿通孔２を設けると共に、この重合端部１ｂの略中央位置に前記位置決め重合機構３としての係止部４若しくは係合部５を設けたものである。
【００２９】
この位置決め重合機構３は、具体的には、図４に図示したように、重合配設される一組の重合端部１ｂのうちの一方の重合端部１ｂに係止部４を設け、この係止部４と係合する係合部５を他方の重合端部１ｂに設けた構成である。更に具体的には、この係止部４とは、図２及び図４に図示したように、前記配管抱持部材１のこの係止部４を設けたい重合端部１ｂに押圧突出形成した突部４である。一方、前記係合部５は、この係止部４としての突部４が係合する係合孔５若しくは係合凹部５であって、本実施例においては、図２及び図４に図示したように、係合部５を設けたい重合端部１ｂに穿設した係合孔５である。
【００３０】
また、この一方の重合端部１ｂに形成した突部４を、他方の重合端部１ｂに形成した係合孔５に係合係止した際に、両重合端部１ｂに夫々形成されたボルト挿通孔２が連通配設されるように前記係止部４と係合部５の位置を設定している。
【００３１】
従って、図１に図示したように、一方の重合端部１ｂに形成した前記係止部４としての突部４を、他方の重合端部１ｂに形成した前記係合部５としての係合孔５に係合係止するだけの簡単な操作で、両重合端部１ｂ同志を所定の重合位置、即ち、この各重合端部１ｂの互いに対向する位置に形成されたボルト挿通孔２同志が丁度連通する位置に、位置決め係止することができる。
【００３２】
また、図４に図示したように、この一対の配管抱持部材１の各重合端部１ｂの先端部には、後述の支持部９の支持杆体８を挿通する杆挿通部７を形成するための杆挿通部半体７ａを設けている。具体的には図４に図示したように、この一対の配管抱持部材１の各重合端部１ｂ同志を重合配設した際に、この重合配設した一組の重合端部１ｂに設けられ互いに対向状態となる一組の杆挿通部半体７ａにより、図１に図示したように筒状の杆挿通部７を形成するように、各重合端部１ｂの先端を夫々半円状に湾曲形成したものである。
【００３３】
また、各重合端部１ｂの先端に湾曲形成した各杆挿通部半体７ａには、図２に図示したように一方の杆挿通部半体７ａの先端に係止突部12を設け、他方の杆挿通部半体７ａの先端には前記係止突部４が係合する係合凹部13を設けている。具体的には、一方の杆挿通部半体７ａの先端縁を他方の杆挿通部半体７ａに向けて突出した形状に形成して前記係止突部12を設け、他方の杆挿通部半体７ａの先端縁は前記一方の杆挿通部半体７ａの先端縁の係止突部12が係合可能な凹欠した形状に形成して前記係合凹部13を設け、この一組の杆挿通部半体７ａを対向状態に対設配設した際には、図１に図示したように対向する一組の貫通部半体７ａにより筒状の杆挿通部７が形成されると共に、一方の杆挿通部半体７ａに設けた係止突部12と、他方の杆挿通部半体７ａに設けた係合凹部13とが係合係止するように構成している。
【００３４】
従って、位置決め重合機構３を係止状態とした際には、一対の配管抱持部材１の各重合端部１ｂの略中央位置に形成された突部４と係合孔５とが係合係止状態となるだけでなく、各重合端部１ｂの先端の杆挿通部半体７ａの先端縁に設けた係止突部12と係合凹部13とが係合係止され、よって、一対の配管抱持部材１の各重合端部１ｂ同志の位置決めが所定の重合位置（ボルト挿通孔２同志が連通配設される位置）に一層確実に位置決め係止される。
【００３５】
尚、この位置決め重合機構３の構成は、本実施例のものに限られるものではなく、本実施例と同様に各配管抱持部材１の重合端部１ｂ同志を所定の重合位置に位置決め重合し得る構成とすれば良い。
【００３６】
また、図４に図示したように、各配管抱持部材１は、抱持部１ａの一端側に設けた重合端部１ｂには突部４（係止部４）若しくは係合孔５（係合部５）を形成し、反対に、抱持部１ａの他端側に設けた重合端部１ｂには係合孔５（係合部５）若しくは突部４（係止部４）を形成した構成としている。
【００３７】
従って、配管ａを抱持固定するための一対の配管抱持部材１として、異なる形状の二体の配管抱持部材１を用意しなくとも、同一形状の配管抱持部材１を二体用意すれば良く、量産性に秀れる。
【００３８】
また、図３に図示したように、前記一対の配管抱持部材１を、対設立設された一対の支持杆体８間に架設保持し、この一対の配管抱持部材１を所定位置に支持固定し得る支持部９を備えた構成としている。この支持部９は、具体的には、図３に図示したように、一対の支持杆体８（螺子杆）の各下端側に設けた接地固定部８ａによって所定の設置位置に接地状態に対設立設された一対の支持杆体８（螺子杆）を、一対の配管抱持部材１の左右に形成した前記杆挿通部７に夫々挿通配設すると共に、各支持杆体８（螺子杆）に螺着された上下の位置決め固定用ナット11により一対の配管抱持部材１の左右を締付固定して、この一対の支持杆体８間に架設状態に取付保持する構成である。
【００３９】
本実施例は、上述のように構成したから、一対の配管抱持部材１によって配管ａを抱持固定し、図３に図示したように、支持部９により所定の設置箇所に支持固定することにより前記配管ａを所定位置に良好に支持固定できると共にこの一対の配管抱持部材１の抱持部１ａの内面には緩衝材10が配設されこれが前記配管ａに押圧当接されている為、この配管ａを防振支持固定することができるなど、配管ａを良好に支持固定することが出来ることとなる。
【００４０】
また、この一対の配管抱持部材１を配管ａに被嵌し左右両端部の各重合端部１ｂ同志を重合配設し締付ボルト６とナット６ａにより締結することで前記配管ａを抱持固定する際に、各重合端部１ｂに形成されたボルト挿通孔２同志が丁度連通するように正確に位置合わせ重合する厄介な作業も、本実施例においては、単に前記位置決め重合機構３を係止状態とするだけで各ボルト挿通孔２同志を確実に連通配設させることができ、よって、この連通配設されたボルト挿通孔２に締付ボルト６を挿通して前記一対の配管抱持部材１による配管ａの抱持固定を極めて作業性良く効率的に行えることとなる。しかも、この位置決め重合機構３を係止状態とする作業も、各重合端部１ｂ同志を重合配設してこの各重合端部１ｂに設けられた各突部４（係止部４）と各係合孔５（係合部５）とを係合係止させるだけの極めて簡単な操作で達成でき、この点においても、極めて作業性に秀れることとなる。
【００４１】
更に、このように配管ａを簡単に抱持固定できる一対の配管抱持部材１は、単に金属製の帯状板材を折曲や湾曲し、この配管抱持部材１の左右の重合端部１ｂに突部４や係合孔５を加工形成することで簡単に生産可能な簡易構成とした為、あくまで従来品と同等な生産コストで生産できる秀れた量産性を有し、著しくコストアップすることがない。
【００４２】
よって、本実施例は、配管ａを良好に支持固定できる上に、一対の配管抱持部材１の各重合端部１ｂ同志を所定の重合位置に位置決め係止する位置決め重合機構３を設けたことにより、一対の配管抱持部材１により前記配管ａを抱持固定する作業を極めて作業性良く効率的に行うことができ、しかも、あくまでも従来と略同等の生産コストで簡易に生産できる秀れた量産性を有し、コストアップとなる心配も無いなど、画期的で極めて実用性に秀れた配管支持金具となる。
【００４３】
尚、本考案は、本実施例に限られるものではなく、各構成要件の具体的構成は適宜設計し得るものである。
【図面の簡単な説明】
【００４４】
【図１】本実施例に係る配管支持金具の一対の配管抱持部材１の説明斜視図である。
【図２】本実施例に係る配管支持金具の説明分解図である。
【図３】本実施例に係る配管支持金具の使用状態図である。
【図４】本実施例に係る配管支持金具の説明平面図である。
【符号の説明】
【００４５】
１  配管抱持部材
１ａ  抱持部
１ｂ  重合端部
２  ボルト挿通孔
３  位置決め重合機構
４  係止部，突部
５  係合部，係合孔，係合凹部
６  締付ボルト
６ａ  ナット
７  杆挿通部
８  支持杆体
９  支持部
ａ  配管
【図１】
0003113195.tif 000003
【図２】
0003113195.tif 000004
【図３】
0003113195.tif 000005
【図４】
0003113195.tif 000006